【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
入力情報により指定される定型的表現内容に対応した音声信号を生成するとともに、その音声信号に対応した韻律情報を生成し、
上記入力情報により指定される非定型的表現内容の音韻情報から韻律情報を生成し、
上記定型的表現内容に対応した音声信号の韻律情報に合わせて上記非定型的表現内容に対応した韻律情報を調整し、
この韻律情報に基づいて上記非定型的表現内容に対応した合成音声信号を生成し、
上記定型的表現内容に対応した音声信号と上記非定型的表現内容に対応した合成音声信号とを接続することにより、入力情報に応じて定型的表現内容の一部に非定型的表現内容を含む表現内容の音声信号を生成することを特徴とする音声合成方法。
【請求項２】
上記定型的表現内容に対応した音声音声の韻律情報として、上記音声信号のピッチパターンの情報と上記音声信号の発話速度の情報と上記音声信号の音韻パワーの情報を予め記憶しておき、上記音声信号のピッチパターンの情報と上記音声信号の発話速度の情報と上記音声信号の音韻パワーの情報に基づいて、上記定型的表現内容に対応した音声信号の韻律情報に合わせて上記非定型的表現内容に対応した韻律情報を調整することを特徴とする請求項１に記載の音声合成方法。
【請求項３】
上記定型的表現内容に対応した音声信号の韻律情報として、上記音声信号のピッチパターンの情報と上記音声信号の発話速度の情報を予め記憶しておき、上記音声信号のピッチパターンの情報と上記音声信号の発話速度の情報に基づいて、上記定型的表現内容に対応した音声信号の韻律情報に合わせて上記非定型的表現内容に対応した韻律情報を調整することを特徴とする請求項１に記載の音声合成方法。
【請求項４】
上記定型的表現内容に対応した音声信号の韻律情報として、上記音声信号のピッチパターンの情報を予め記憶しておき、上記音声信号のピッチパターンの情報に基づいて、上記定型的表現内容に対応した音声信号の韻律情報に合わせて上記非定型的表現内容に対応した韻律情報を調整することを特徴とする請求項１に記載の音声合成方法。
【請求項５】
上記定型的表現内容に対応した音声信号の韻律情報として、上記音声信号の接続部分のピッチの情報と上記音声信号の接続部分の発話速度の情報と上記記音声信号の接続部分の音韻パワーの情報を予め記憶しておき、上記音声信号の接続部分のピッチの情報と上記音声信号の接続部分の発話速度の情報と上記記音声信号の接続部分の音韻パワーの情報に基づいて、上記定型的表現内容に対応した音声信号の韻律情報に合わせて上記非定型的表現内容に対応した韻律情報を調整することを特徴とする請求項１に記載の音声合成方法。
【請求項６】
上記定型的表現内容に対応した音声信号の韻律情報として、上記音声信号の接続部分のピッチの情報と上記音声信号の接続部分の発話速度の情報を予め記憶しておき、上記音声信号の接続部分のピッチの情報と上記音声信号の接続部分の発話速度の情報に基づいて、上記定型的表現内容に対応した音声信号の韻律情報に合わせて上記非定型的表現内容に対応した韻律情報を調整することを特徴とする請求項１に記載の音声合成方法。
【請求項７】
上記定型的表現内容に対応した音声信号の韻律情報として、上記音声信号の接続部分のピッチの情報を予め記憶しておき、上記音声信号の接続部分のピッチの情報の情報に基づいて、上記定型的表現内容に対応した音声信号の韻律情報に合わせて上記非定型的表現内容に対応した韻律情報を調整することを特徴とする請求項１に記載の音声合成方法。
【請求項８】
上記定型的表現内容に対応した音声信号の物理特性に合わせて予め物理特性が調整された音声単位データセットを記憶しておき、上記非定型的表現内容に対応した音韻情報のみに基づいて、音声単位データセットを読み出して規則音声合成による音声信号を生成することを特徴とする請求項１に記載の音声合成方法。
【請求項９】
上記音声単位データセットの物理特性として、前記音声単位データセットのパワーが、前記定型的表現内容に対応した音声信号のパワー情報によって予め調整しておくことを特徴とする請求項８に記載の音声合成方法。
【請求項１０】
上記非定型的表現内容に対応した合成音声に後続する定型的表現内容の音声信号を生成し、少なくとも１つの非定型的表現内容と、それに後続する定型的表現内容からなるものを一つの表現内容として、任意の個数の表現内容によって構成される発話内容の音声信号を生成することを特徴とする請求項１に記載の音声合成方法。
【請求項１１】
上記非定型的表現内容に対応した合成音声に後続する定型的表現内容の先頭音韻が無声音の音声信号を生成することを特徴とする請求項１０に記載の音声合成方法。
【請求項１２】
上記非定型的表現内容に対応した合成音声と韻律上の連続性が滑らかになるように、物理特性が予め調整された上記定型的表現内容に対応した音声信号を生成することを特徴とする請求項１に記載の音声合成方法。
【請求項１３】
上記定型的表現内容に対応した音声信号と上記合成処理に用いられる音声単位データセットの各音声データとして同一発声者から得られた音声データを用いることを特徴とする請求項１に記載の音声合成方法。
【請求項１４】
入力情報により指定される定型的表現内容に対応した音声信号を生成するとともに、その音声信号に対応した韻律情報を生成する音声信号生成手段と、
上記入力情報により指定される非定型的表現内容の音韻情報から韻律情報を生成する韻律生成手段と、
上記音声信号生成手段により生成された定型的表現内容に対応した音声信号の韻律情報に応じて、上記非定型的表現内容に対応した韻律情報を調整する韻律調整手段と、
上記韻律調整手段により調整された韻律情報に基づいて、上記非定型的表現内容に対応した合成音声信号を生成する音声合成手段と、
上記音声信号生成手段により生成された定型的表現内容に対応した音声信号と上記音声合成手段により生成された非定型的表現内容に対応した合成音声信号とを接続する音声接続手段とを備え、
入力情報に応じて定型的表現内容の一部に非定型的表現内容を含む表現内容の音声信号を生成することを特徴とする音声合成装置。
【請求項１５】
少なくとも地図に関する情報である地図情報とを記憶している地図情報記憶手段と、現在地を測定する測定手段と、上記地図情報記憶手段の内容及び上記測定手段の測定結果に対応して、所定の情報を出力する出力手段を備えるナビゲーションシステムであって、上記出力手段は、入力情報により指定される定型的表現内容に対応した音声信号を生成するとともに、その音声信号に対応した韻律情報を生成する音声信号生成手段と、上記入力情報により指定される非定型的表現内容の音韻情報から韻律情報を生成する韻律生成手段と、上記音声信号生成手段により生成された定型的表現内容に対応した音声信号の韻律情報に応じて、上記非定型的表現内容に対応した韻律情報を調整する韻律調整手段と、上記韻律調整手段により調整された韻律情報に基づいて、上記非定型的表現内容に対応した合成音声信号を生成する音声合成手段と、上記音声信号生成手段により生成された定型的表現内容に対応した音声信号と上記音声合成手段により生成された非定型的表現内容に対応した合成音声信号とを接続する音声接続手段とを備え、入力情報に応じて定型的表現内容の一部に非定型的表現内容を含む表現内容の音声信号を生成する音声合成装置により、上記所定の情報から音声信号を生成して出力することを特徴とするナビゲーションシステム。
【請求項１６】
入力情報により指定される定型的表現内容に対応した音声信号を生成するとともに、その音声信号に対応した韻律情報を生成し、上記入力情報により指定される非定型的表現内容の音韻情報から韻律情報を生成し、上記定型的表現内容に対応した音声信号の韻律情報に合わせて上記非定型的表現内容に対応した韻律情報を調整し、この韻律情報に基づいて上記非定型的表現内容に対応した合成音声信号を生成し、上記定型的表現内容に対応した音声信号と上記非定型的表現内容に対応した合成音声信号とを接続することにより、入力情報に応じて定型的表現内容の一部に非定型的表現内容を含む表現内容の音声信号を生成することを特徴とするコンピュータで読み取り可能で、かつ実行可能な音声合処理プログラムを記憶した情報記録媒体。
【手続補正２】
【補正対象書類名】明細書
【補正対象項目名】００５０
【補正方法】変更
【補正の内容】
【００５０】
その後、このナビゲーションシステムのユーザ（運転者）が運転する自動車が、例えば所定の地域や交差点、施設などに差し掛かると、そこの名称すなわち地名や交差点名、施設名がＣＤ−ＲＯＭドライブ３により読み出され、音声による情報提供に必要な音声データとして制御部２から出力部５に供給される。